(57)【特許請求の範囲】
【請求項１】
マグネットと、
前記マグネットを固定する固定部材とを含み、
前記固定部材は、
せっけんに刺さり込む刺さり込み部と、
前記せっけんから抜け出るのを防止する抜け止め部とを備えること、
を特徴とするせっけん保持具。
【請求項２】
請求項１に記載のせっけん保持具において、
前記固定部材内に前記マグネットを固定する押さえ部材を備え、
前記固定部材は、前記マグネットの一部を露出させる開口部を備えること、
を特徴とするせっけん保持具。
【請求項３】
請求項２に記載のせっけん保持具において、
前記押さえ部材は、磁気を帯びない非磁性体からなり、前記固定部材と前記マグネットとの間の間隙を密封する密封部材であること、
を特徴とするせっけん保持具。
【請求項４】
マグネットと、
前記マグネットを収納し、磁気を帯びない非磁性体からなる収納部材と、
前記収納部材を固定する固定部材とを含み、
前記収納部材は、前記マグネットの一部を露出させる開口部を備え、
前記固定部材は、
せっけんに刺さり込む刺さり込み部と、
前記せっけんから抜け出るのを防止する抜け止め部とを備えること、
を特徴とするせっけん保持具。
【請求項５】
請求項１から請求項４までのいずれか１項に記載のせっけん保持具において、
前記固定部材又は前記収納部材は、前記マグネットの外周部を固定するテーパ部を備えること、
を特徴とするせっけん保持具。
【請求項６】
請求項１から請求項５までのいずれか１項に記載のせっけん保持具において、
前記刺さり込み部は、前記固定部材の周囲に設けられた壁部であり、
前記抜け止め部は、前記壁部に設けられた凹凸部であること、
を特徴とするせっけん保持具。
【請求項７】
請求項６に記載のせっけん保持具において、
前記壁部は、折り返されたフック部を備えること、
を特徴とするせっけん保持具。
【請求項８】
請求項１から請求項５までのいずれか１項に記載のせっけん保持具において、
前記刺さり込み部は、前記固定部材に突出して設けられた突起部であり、
前記抜け止め部は、前記突起部の後方に設けられた切欠部であること、
を特徴とするせっけん保持具。
【請求項９】
請求項８に記載のせっけん保持具において、
前記突起部は、その先端が円弧状であること、
を特徴とするせっけん保持具。
【請求項１０】
請求項１から請求項９までのいずれか１項に記載のせっけ保持具において、
前記固定部材は、内側から外側に空気を逃がす空気抜き孔を備えること、
を特徴とするせっけん保持具。
【請求項１１】
請求項１から請求項１０までのいずれか１項に記載のせっけん保持具を取り付けたこと、
を特徴とするせっけん。
【請求項１２】
請求項１から請求項１０までのいずれか１項に記載のせっけん保持具を取り付ける取付穴を備え、
前記取付穴の深さは、前記せっけん保持具の表面とせっけん表面とが略同一平面になるように形成されていること、
を特徴とするせっけん。
【発明の詳細な説明】
【０００１】
【発明の属する技術分野】
本発明は、せっけんを保持するせっけん保持具及びせっけん保持具を備えるせっけんに関するものである。
【０００２】
【従来の技術】
実開昭６４−５１６５０号公報は、せっけんと、このせっけんに一部が埋め込まれた帯状材と、この帯状材の露出部分に取り付けられた吸磁性材料と、タイル壁などに取り付けられた永久磁石とを備える吸磁性せっけんを開示している。
実開平２−７６９９０号公報は、せっけん固定板と、このせっけん固定板を取り付けたせっけんと、このせっけん固定板に吸着する磁石とを備えるせっけん保持具を開示している。
【０００３】
【発明が解決しようとする課題】
実開昭６４−５１６５０号公報の吸磁性せっけんは、せっけんの一部に帯状材を容易に埋め込み加工することができないという問題点があった。
実開平２−７６９９０号公報のせっけん保持具は、磁性体からなるせっけん固定板の表面に、せっけんに食い込むための食い込み部を一体的に形成しており、この食い込み部を形成するための加工が容易ではないという問題点があった。
また、このせっけん保持具は、食い込み部の形状が単なる板状又は針状であるために、せっけんに差し込んだ後に、食い込み部がせっけんから容易に抜けてしまうという問題点があった。
さらに、せっけん保持具側に磁石を取り付けているために、せっけん保持具を設置した箇所以外に、せっけんを保持しておくことができないという問題点があった。
【０００４】
本発明の課題は、簡単な構造で確実にせっけんを保持することができるせっけん保持具及びせっけんを提供することである。
【０００５】
【課題を解決するための手段】
本発明は、以下のような解決手段により、前記課題を解決する。
なお、理解を容易なものとするために、本発明の実施形態に対応する符号を付して説明するが、これに限定するものではない。
すなわち、請求項１の発明は、マグネット（１０）と、前記マグネットを固定する固定部材（１１；１２；１４；１６）とを含み、前記固定部材は、せっけんに刺さり込む刺さり込み部（１１ｂ；１２ｂ；１４ｂ，１４ｆ；１６ｃ）と、前記せっけんから抜け出るのを防止する抜け止め部（１１ｃ；１２ｃ；１４ｃ，１４ｆ；１６ｄ）とを備えることを特徴とするせっけん保持具（１；３；４；６）である。
【０００６】
請求項２の発明は、請求項１に記載のせっけん保持具において、前記固定部材内に前記マグネットを固定する押さえ部材（１３）を備え、前記固定部材は、前記マグネットの一部を露出させる開口部（１２ｅ，１４ｅ）を備えることを特徴とするせっけん保持具（３；４）である。
【０００７】
請求項３の発明は、請求項２に記載のせっけん保持具において、前記押さえ部材は、磁気を帯びない非磁性体からなり、前記固定部材と前記マグネットとの間の間隙を密封する密封部材（１３）であることを特徴とするせっけん保持具（３；４）である。
【０００８】
請求項４の発明は、マグネット（１０）と、前記マグネットを収納し、磁気を帯びない非磁性体からなる収納部材（１５）と、前記収納部材を固定する固定部材（１１）とを含み、前記収納部材は、前記マグネットの一部を露出させる開口部（１５ｃ）を備え、前記固定部材は、せっけんに刺さり込む刺さり込み部（１１ｂ）と、前記せっけんから抜け出るのを防止する抜け止め部（１１ｃ）とを備えることを特徴とするせっけん保持具（５）である。
【０００９】
請求項５の発明は、請求項１から請求項４までのいずれか１項に記載のせっけん保持具において、前記固定部材又は前記収納部材は、前記マグネットの外周部を固定するテーパ部（１６ｂ）を備えることを特徴とするせっけん保持具（６）である。
【００１０】
請求項６の発明は、請求項１から請求項５までのいずれか１項に記載のせっけん保持具において、前記刺さり込み部は、前記固定部材の周囲に設けられた壁部（１１ｂ；１２ｂ；１４ｂ，１４ｆ）であり、前記抜け止め部は、前記壁部に設けられた凹凸部（１１ｃ；１２ｃ；１４ｃ）であることを特徴とするせっけん保持具（１；３；４；５）である。
【００１１】
請求項７の発明は、請求項６に記載のせっけん保持具において、前記壁部は、折り返されたフック部（１４ｆ）を備えることを特徴とするせっけん保持具（４）である。
【００１２】
請求項８の発明は、請求項１から請求項５までのいずれか１項に記載のせっけん保持具において、前記刺さり込み部は、前記固定部材に突出して設けられた突起部（１６ｃ）であり、前記抜け止め部は、前記突起部の後方に設けられた切欠部（１６ｄ）であることを特徴とするせっけん保持具（６）である。
【００１３】
請求項９の発明は、請求項８に記載のせっけん保持具において、前記突起部は、その先端が円弧状であることを特徴とするせっけん保持具（６）である。
【００１４】
請求項１０の発明は、請求項１から請求項９までのいずれか１項に記載のせっけ保持具において、前記固定部材は、内側から外側に空気を逃がす空気抜き孔（１１ｄ；１２ｄ；１４ｄ）を備えることを特徴とするせっけん保持具（１；３；４；５）である。
【００１５】
請求項１１の発明は、請求項１から請求項１０までのいずれか１項に記載のせっけん保持具を取り付けたことを特徴とするせっけん（２）である。
【００１６】
請求項１２の発明は、請求項１から請求項１０までのいずれか１項に記載のせっけん保持具を取り付ける取付穴（２ｂ）を備え、前記取付穴の深さは、前記せっけん保持具の表面とせっけん表面とが略同一平面になるように形成されていることを特徴とするせっけん（２）である。
【００１７】
【発明の実施の形態】
（第１実施形態）
以下、図面を参照して、本発明の第１実施形態について、さらに詳しく説明する。
図１は、本発明の第１実施形態に係るせっけん保持具を示す斜視図である。図２は、本発明の第１実施形態に係るせっけん保持具をせっけんに取り付けた状態を示す斜視図である。図３は、本発明の第１実施形態に係るせっけん保持具をせっけんに取り付けた状態を示す断面図である。
【００１８】
本発明の第１実施形態に係るせっけん保持具１は、マグネット１０と、固定部材１１とからなる。
マグネット１０は、磁気を有する円板状の部材である。マグネット１０は、一方の表面１０ａが、固定部材１１の固定部１１ａに接着剤などによって固定されている。マグネット１０は、その外径が固定部１１ａの外径と略等しくなるように形成されている。
【００１９】
固定部材１１は、マグネット１０を固定するための部材である。固定部材１１は、固定部１１ａと、壁部１１ｂと、凹凸部１１ｃと、空気抜き孔１１ｄとを備えている。固定部材１１は、例えば、すずめっきを施した薄軟鋼板（ぶりき）又はアルミニウムなどからなり、ビール、清涼飲料水、酒、調味料などの入ったびんの栓として使用されている王冠を利用する。
【００２０】
固定部１１ａは、マグネット１０を固定するための円板状の部分である。
壁部１１ｂは、せっけん２に刺さり込む部分である。壁部１１ｂは、固定部１１ａの周囲に一体的に形成されている。壁部１１ｂは、せっけん２に刺さり込む側（先端側）に向けてテーパ状に形成されている。
凹凸部１１ｃは、せっけん２から固定部材１１が抜け出るのを防止するための部分である。凹凸部１１ｃは、固定部材１１が周方向に回転するのを防止している。凹凸部１１ｃは、壁部１１ｂに形成されている。
空気抜き孔１１ｄは、固定部材１１の内側から外側に空気を逃がすための孔である。空気抜き孔１１ｄは、壁部１１ｃを貫通しており、この壁部１１ｃの周囲に６個形成されている。
【００２１】
つぎに、本発明の第１実施形態に係るせっけん保持具をせっけんに取り付ける方法を説明する。
図１に示す壁部１１ｂをせっけん２の表面２ａに接触させて、せっけん保持具１がせっけん２に押し込まれる。せっけん保持具１は、図３に示すように、固定部１１ａが表面２ａと接触するまで、せっけん２に刺さり込む。このときに、固定部材１１と表面２ａとの間に挟まれた空気は、空気抜き孔１１ｄを通過して外部に抜ける。せっけん保持具１は、図２に示すように、せっけん２の表面２ａからマグネット１０を露出させた状態で、せっけん２に固定される。
【００２２】
図４は、穴明け器具を示す平面図である。図５は、図４のＶ−Ｖ線で切断した状態を示す断面図である。図６は、穴明け器具を示す斜視図である。
なお、図６（Ａ）は、穴明け器具の使用状態を示す斜視図であり、図６（Ｂ）は、穴明け器具によってせっけんに明けた取付穴を示す斜視図である。
穴明け器具９は、せっけん２の表面２ａに取付穴２ｂを形成するための器具である。穴明け器具９は、図４及び図５に示すように、本体９ａと、削り取り部９ｂと、仕切り板９ｃと、ストッパ板９ｄとからなる。穴明け器具９は、例えば、プラスチックなどによって成形されている。
【００２３】
本体９ａは、使用者によって回転操作される円筒状の部分である。本体９ａは、その外径が取付穴２ｂの直径と略等しくなるように形成されている。
削り取り部９ｂは、せっけん２の表面２ａを削り取る板状の傾斜した部分である。削り取り部９ｂは、削り取ったせっけん２を仕切り板９ｃ上に案内する。削り取り部９ｂは、切り込み線９ｃに沿って、仕切り板９ｃを先端部９ｆ側に屈曲されている。削り取り部９ｂは、仕切り板９ｃに２つ形成されている。
仕切り板９ｃは、削り取り部９ｂが削り取ったせっけん２を回収する部分である。仕切り板９ｃは、本体９ａの内周部に設けられており、本体９ａの内部を上下に区画している。
ストッパ板９ｄは、取付穴２ｂを形成するときにせっけん２の表面２ａと接触して、取付穴２ｂの深さを一定にするための部材である。ストッパ９ｄは、図１に示すマグネット１０の厚さが、例えば、５ｍｍであるときには、先端部９ｆから５ｍｍの位置に取り付ける。
切り込み線９ｅは、削り取り部９ｂを形成するための略コ字状の切断部である。切り込み線９ｅは、仕切り板９ｃに２箇所形成されている。
【００２４】
つぎに、穴明け器具の使用方法について説明する。
図６（Ａ）に示すように、穴明け器具９の先端部９ｆがせっけん２の表面２ａに刺さり込み、穴明け器具９が矢印方向に回転すると、削り取り部９ｂは、せっけん２の表面２ａを削り取りながら掘り下げていく。削り取り部９ｂは、削り取ったせっけん２を仕切り板９ｃ上に案内し、表面２ａにストッパ板９ｄが接触するまで表面２ａを削り取る。その結果、図６（Ｂ）に示すように、せっけん２の表面２ａに、所定の深さの取付穴２ｂが形成される。なお、仕切り板９ｃ上のせっけん２は、穴明け器具９の後端部９ｇを下方に向けることによって、穴明け器具９内から取り除かれる。
【００２５】
図７は、本発明の第１実施形態に係るせっけん保持具をせっけん取付穴に取り付けた状態を示す斜視図である。図８は、本発明の第１実施形態に係るせっけん保持具をせっけん取付穴に取り付けた状態を示す断面図である。
【００２６】
図１に示す壁部１１ｂを取付穴２ｂに接触させて、せっけん保持具１がせっけん２に押し込まれる。せっけん保持具１は、固定部材１１に接着した側と反対側のマグネット１０の表面１０ａが、せっけん２の表面２ａと略一致するまで、せっけん２に刺さり込む。せっけん保持具１は、図７及び図８に示すように、マグネット１０の表面１０ａをせっけん２の表面２ａから露出させた状態で、せっけん２に固定される。
【００２７】
本発明の第１実施形態に係るせっけん保持具１は、以下に記載するような効果を有する。
（１）  本発明の第１実施形態は、固定部材１１を介してマグネット１０がせっけん２に固定されている。
このために、浴室のシャワー器具や流しの蛇口などに、マグネット１０を吸着させて、これらの器具にせっけん２を確実に保持させることができる。
また、これらの器具以外にも、水のかからない場所にマグネット１０を吸着させて、せっけん２を保持させることができるために、せっけん２が溶けるのを確実に防止することができる。
【００２８】
（２）  本発明の第１実施形態は、マグネット１０を固定する固定部材１１に、せっけん２に刺さり込む壁部１１ｂが形成されている。
このために、せっけん２に固定部材１１を容易に刺し込むことができる。
また、固定部材１１の内部に水が浸入してせっけん２が溶けたり、せっけん２から固定部材２が抜けたりするのを防止することはできる。
さらに、固定部材１１は、せっけん２を使い切るまでせっけん２と一体化しているために、せっけん２を無駄なく使用することができる。
【００２９】
（３）  本発明の第１実施形態は、マグネット１０を固定する固定部材１１に凹凸部１１ｃが形成されている。
その結果、せっけん２に対して固定部材１１が回転するのを、凹凸部１１ｃによって防止することができるために、せっけん２から固定部材１１が抜け出るのを確実に防止することができる。
【００３０】
（４）  本発明の第１実施形態は、空気を抜くための空気抜き孔１１ｄを壁部１１ｂに形成している。
このために、せっけん２に固定部材１１を刺し込む際に、せっけん２の表面２ａと固定部材１１とが密着した状態で、マグネット１０をせっけん２に取り付けることができる。
【００３１】
（５）  本発明の第１実施形態は、固定部材１１として入手が容易な王冠を利用している。
このために、王冠の製造装置によってせっけん保持具１を容易に製造することができるとともに、王冠として量産されたものを利用することもできる。
【００３２】
（６）  本発明の第１実施形態は、穴明け器具９に取り付けたストッパ板９ｄの上下方向の位置を調節して、マグネット１０及び固定部１１ａの厚さの合計と略同一の深さに、取付穴２ｂを形成することができる。
その結果、せっけん保持具１を取付穴２ｂに取り付けると、マグネット１０の表面１０ａがせっけん２の表面２ａと略一致するために、せっけん２の表面２ａから突出する部分がなくなって、せっけん２を使いやすくすることができる。
【００３３】
（第２実施形態）
図９は、本発明の第２実施形態に係るせっけん保持具を示す斜視図である。図１０は、本発明の第２実施形態に係るせっけん保持具をせっけんに取り付けた状態を示す斜視図である。図１１は、本発明の第２実施形態に係るせっけん保持具をせっけんに取り付けた状態を示す断面図である。図１２は、本発明の第２実施形態に係るせっけん保持具をせっけん取付穴に取り付けた状態を示す断面図である。
なお、図１〜図８に示す部材と同一又は対応する部材は、同一又は対応する番号を付して説明し、その詳細な説明を省略する。
【００３４】
本発明の第２実施形態に係るせっけん保持具３は、図９に示すように、マグネット１０と、固定部材１２と、押さえ部材１３とからなる。せっけん保持具３は、図１０及び図１１に示すように、せっけん２の表面２ａに刺し込み固定される。また、せっけん保持具３は、図１２に示すように、図４及び図５に示す穴明け器具９によって取付穴２ｂを形成し、この取付穴２ｂに刺し込んで固定してもよい。この場合には、マグネット１０、壁部１２ｂ及び押さえ部材１３の厚さの合計が、取付穴２ｂの深さと略同一になるように、穴明け器具９のストッパ板９ｄを本体９ａに取り付ける必要がある。
【００３５】
固定部材１２は、図９に示すように、壁部１２ｂと、凹凸部１２ｃと、空気抜き孔１２ｄと、開口部１２ｅとを備えている。固定部材１２は、図１に示す固定部材１１と同様に王冠を利用する。
壁部１２ｂは、せっけん２に刺さり込むとともに、固定部材１２内に収納されたマグネット１０が、開口部１２ｅから抜け出さないようにする部分である。壁部１２ｂは、図１１及び図１２に示すように、円弧状に形成されている。空気抜き孔１２ｄは、押さえ部材１３の下方に形成されている。開口部１２ｅは、図９及び図１０に示すように、マグネット１０の表面１０ａを壁部１２ｂから露出させている。
【００３６】
押さえ部材１３は、固定部材１２内にマグネット１０を固定するための部材である。押さえ部材１３は、図１１及び図１２に示すように、壁部１２ｂとマグネット１０との間の間隙を密封している。押さえ部材１３は、壁部１２ｂとの間でマグネット１０を挟み込み、マグネット１０が固定部材１２内から抜け出すのを防止している。押さえ部材１３は、磁気を帯びない非磁性体である。押さえ部材１３は、例えば、壁部１２ｂとマグネット１０にゴムリングを接着したり、固定部材１２内にマグネット１０を収納した後にゴムを流し込んだりして、壁部１２ｂとマグネット１０に固定する。
【００３７】
本発明の第２実施形態に係るせっけん保持具３は、第１実施形態の効果に加えて、以下に記載するような効果を有する。
（１）  本発明の第２実施形態は、壁部１２ｂと押さえ部材１３との間でマグネット１０を挟み込んでいるために、マグネット１０が固定部材１２内から抜け出すのを確実に防止することができる。
【００３８】
（２）  本発明の第２実施形態は、壁部１２ｂとマグネット１０との間の間隙を密封しているために、壁部１２ｂとマグネット１０との間の隙間から水が浸入して、せっけん２が溶けるのを防止している。
【００３９】
（３）  本発明の第２実施形態は、押さえ部材１３が磁気を帯びない非磁性体からなるために、マグネット１０の磁気がせっけん２側に作用するのを防止することができる。
【００４０】
（４）  本発明の第２実施形態は、壁部１２ｂが円弧状に形成されているために、せっけん２を使用するときに手を傷つけてしまうのを確実に防止することができる。
【００４１】
（第３実施形態）
図１３は、本発明の第３実施形態に係るせっけん保持具を示す斜視図である。図１４は、本発明の第３実施形態に係るせっけん保持具をせっけんに取り付けた状態を示す断面図である。図１５は、本発明の第３実施形態に係るせっけん保持具をせっけん取付穴に取り付けた状態を示す断面図である。
なお、図９〜図１２に示す部材と同一又は対応する部材は、同一又は対応する番号を付して説明し、その詳細な説明を省略する。
【００４２】
本発明の第３実施形態に係るせっけん保持具４は、第３実施形態と異なり、フック部１４ｆを設けた他の実施形態である。
せっけん保持具４は、図１３に示すように、マグネット１０と、固定部材１４と、押さえ部材１３とからなる。せっけん保持具４は、図１４に示すように、せっけん２の表面２ａに刺し込まれて固定されたり、図１５に示すように、穴明け器具９によって形成した取付穴２ｂに刺し込まれて固定される。
【００４３】
固定部材１４は、壁部１４ｂと、凹凸部１４ｃと、空気抜き孔１４ｄと、開口部１４ｅと、フック部１４ｆと、切欠部１４ｇとを備えている。フック部１４ｆは、固定部材１４がせっけん２から抜け出すのを防止する戻り止め部分である。フック部１４ｆは、壁部１４ｂとともにせっけん２に刺さり込む。フック部１４ｆは、壁部１４ｂの先端から折り返されており、この壁部１４ｂの周囲に８個形成されている。切欠部１４ｇは、壁部１４ｂ及びフック部１４ｆがせっけん２に刺さり込んだときに、これらの間にせっけん２が入り込むようにする部分である。切欠部１４ｇは、フック部１４ｆに等間隔で８個形成されている。
【００４４】
本発明の第３実施形態に係るせっけん保持具４は、第２実施形態の効果に加えて、以下に記載するような効果を有する。
（１）  本発明の第３実施形態は、フック部１４ｆを備えているために、せっけん保持具４がせっけん２から抜け出すのを確実に防止することができる。
【００４５】
（２）  本発明の第３実施形態は、切欠部１４ｇが設けられている。
このために、せっけん保持具４をせっけん２に刺し込んだときに、壁部１４ｂとフック部１４ｆとの間にせっけん２が入り込み、せっけん保持具４をせっけん２に確実に固定することができる。
【００４６】
（第４実施形態）
図１６は、本発明の第４実施形態に係るせっけん保持具を示す斜視図である。図１７は、本発明の第４実施形態に係るせっけん保持具をせっけんに取り付けた状態を示す斜視図である。図１８は、本発明の第４実施形態に係るせっけん保持具をせっけんに取り付けた状態を示す断面図である。図１９は、本発明の第４実施形態に係るせっけん保持具をせっけん取付穴に取り付けた状態を示す斜視図である。図２０は、本発明の第４実施形態に係るせっけん保持具をせっけん取付穴に取り付けた状態を示す断面図である。
なお、図１に示す部材と同一の部材は、同一の番号を付して説明し、その詳細な説明を省略する。
【００４７】
本発明の第４実施形態に係るせっけん保持具５は、第１実施形態と異なり、マグネット１０を収納部材１５に収納し、固定部材１１の固定部１１ａに収納部材１５を固定した他の実施形態である。せっけん保持具５は、図１６に示すように、マグネット１０と、収納部材１５と、固定部材１１とからなる。せっけん保持具５は、図１７及び図１８に示すように、せっけん２の表面２ａに刺し込まれて固定される。また、せっけん保持具３は、図１９及び図２０に示すように、穴明け器具９によって形成した取付穴２ｂに刺し込んで固定してもよい。この場合には、マグネット１０、保持部１５ａ及び固定部１１ａの厚さの合計が、取付穴２ｂの深さと略同一になるように、穴明け器具９のストッパ板９ｄを本体９ａに取り付ける必要がある。
【００４８】
収納部材１５は、マグネット１０を収納する部材である。収納部材１５は、保持部１５ａと、壁部１５ｂと、開口部１５ｃとを備えている。収納部材１５は、例えば、ステンレスなどの磁気を帯びない非磁性体からなる。収納部材１５は、その外形が固定部１１ａの外形と略等しくなるように形成されている。
保持部１５ａは、マグネット１０を固定するための円板状の部分である。保持部１５ａは、接着剤などによってマグネット１０を固定する。保持部１５ａは、その内周がマグネット１０の外径と略等しい。壁部１５ｂは、保持部１５ａの周囲に一体的に形成されている。壁部１５ｂは、その高さがマグネット１０の厚さと略等しい。開口部１５ｃは、マグネット１０を保持部１５ａに挿入するとともに、マグネット１０の表面１０ａを露出させるための部分である。
【００４９】
本発明の第４実施形態に係るせっけん保持具５は、第１実施形態の効果に加えて、以下に記載するような効果を有する。
（１）  本発明の第４実施形態は、磁気を帯びない非磁性体からなる収納部材１５内にマグネット１０を収納しているために、マグネット１０の磁気がせっけん２側に作用するのを防止することができる。
また、収納部材１５をステンレス製にすることによって、錆びを防止することができる。
【００５０】
（２）  本発明の第４実施形態は、収納部材１５が開口部１５ｃを備えているために、マグネット１０を保持部１５ａに簡単に挿入することができるとともに、マグネット１０の表面１０ａを露出させて、マグネット１０の磁力によってせっけん２を確実に保持することができる。
【００５１】
（第５実施形態）
図２１は、本発明の第５実施形態に係るせっけん保持具を示す斜視図である。図２２は、本発明の第５実施形態に係るせっけん保持具をせっけんに取り付けた状態を示す斜視図である。図２３は、本発明の第５実施形態に係るせっけん保持具をせっけんに取り付けた状態を示す断面図である。図２４は、本発明の第５実施形態に係るせっけん保持具をせっけん取付穴に取り付けた状態を示す断面図である。
なお、図１に示す部材と同一の部材は、同一の番号を付して説明し、その詳細な説明を省略する。
【００５２】
本発明の第５実施形態に係るせっけん保持具６は、固定部材１６の構造が第１実施形態〜第３実施形態の固定部材１１，１２，１４と異なる他の実施形態である。せっけん保持具６は、マグネット１０と、固定部材１６とからなる。せっけん保持具６は、図２２及び図２３に示すように、せっけん２の表面２ａに刺し込まれて固定される。
また、せっけん保持具６は、図２４に示すように、穴明け器具９によって形成した取付穴２ｂに刺し込んで固定してもよい。この場合には、マグネット１０及び円環部１６ａの厚さの合計が、取付穴２ｂの深さと略同一になるように、穴明け器具９のストッパ板９ｄを本体９ａに取り付ける必要がある。
【００５３】
固定部材１６は、マグネット１０を収納するための部材である。固定部材１６は、円環部１６ａと、壁部１６ｂと、突起部１６ｃと、切欠部１６ｄと、開口部１６ｅとを備えている。固定部材１６は、例えば、ステンレスなどのように、成形が容易で錆びを防止することができる材料である。
円環部１６ａは、マグネット１０を保持する部分である。壁部１６ｂは、固定部材１６内に収納したマグネット１０が、開口部１６ｅから抜け出さないようにする部分である。壁部１６ｂは、開口部１６ｅからマグネット１０が挿入された後に、マグネット１０の外周部を挟み込むようにテーパ状に形成される。壁部１６ｂは、円環部１５ａの周囲に一体的に形成されている。
【００５４】
突起部１６ｃは、せっけん２に刺さり込む部分である。突起部１６ｃは、円環部１６ａと一体的に形成されており、この円環部１６ａから等間隔に４個突出している。突起部１６ｃは、その先端部が円弧状に形成されている。切欠部１６ｄは、突起部１６ｃよりも後方に形成された切り込み部分である。切欠部１６ｄは、突起部１６ｃの後方から円環部１６ａまでの両縁部に形成されている。開口部１６ｅは、マグネット１０を収納部材１０内に挿入するとともに、マグネット１０の表面１０ａを露出させるための部分である。
【００５５】
つぎに、本発明の第５実施形態に係るせっけん保持具の製造方法について説明する。
図２５は、本発明の第５実施形態に係るせっけん保持具の組立前の状態を示す平面図である。図２６は、本発明の第５実施形態に係るせっけん保持具の組立後の状態を示す側面図である。
せっけん保持具６は、図２５に示すように、直径が約４０ｍｍ程度の１枚の円板から製造される。図２５に示す鎖線部分よりも内側の部分１６ｆは、取り除かれて、二点鎖線部分よりも外側の部分（壁部）１６ｂは、略直角に折り曲げられる。また、突起部１６ｃ及び切欠部１６ｃは、円環部１６ａとの接続部において略直角に折り曲げられる。その結果、図２６に示すように、せっけん保持具６を製造することができる。マグネット１０は、開口部１６ｅから挿入され、円環部１６ａ上に表面１０ａが設置される。そして、壁部１６ｂをテーパ状に形成して、固定部材１６内にマグネット１０が固定される。壁部１６ａがテーパ状に形成されると、壁部１６ａの先端部は、マグネット１０の表面１０ａよりも０．５ｍｍ〜１ｍｍ程度突出する。このために、マグネット１０の吸着時に、せっけん幕による滑りを防止することができる。
【００５６】
本発明の第５実施形態に係るせっけん保持具は、以下に記載するような効果を有する。
（１）  本発明の第５実施形態は、突起部１６ｃを備えているために、せっけん２に突起部１６ｃを簡単に刺し込むことができる。
【００５７】
（２）  本発明の第５実施形態は、突起部１６ｃの先端部を円弧状に形成しているために、せっけん２が減ったときに、手を傷つけてしまうのを防止することができる。
【００５８】
（３）  本発明の第５実施形態は、切欠部１６ｄを備えているために、突起部１６ｃがせっけん２から抜け出るのを確実に防止することができる。
【００５９】
（他の実施形態）
本発明は、以上説明した実施形態に限定するものではなく、以下に記載するように、種々の変形又は変更が可能であって、これらも本発明の均等の範囲内である。
（１）  本発明の実施形態は、収納部材１５を固定部材１１に固定する場合を例に挙げて説明したが、この収納部材１５を固定部材１６に固定してもよい。
【００６０】
（２）  本発明の実施形態は、収納部材１５内にマグネット１０を接着する場合を例に挙げて説明したが、収納部材１５の壁部１５ｂをテーパ状に形成して、マグネット１０を収納部材１５内に固定してもよい。
【００６１】
（３）  本発明の実施形態は、流しの蛇口や浴室のシャワー器具などにマグネット１０を吸着させる場合を例に挙げて説明したが、これらの箇所に限定するものではない。例えば、適当な大きさの鉄板などを所定の箇所に貼り付けて、せっけん２を保持するようにしてもよい。
【００６２】
（４）  本発明の実施形態は、空気抜き孔１１ｄ，１２ｄ，１４ｄを壁部１１ｂ，１２ｂ，１４ｂの周囲に６個形成する場合を例に挙げて説明したが、空気抜き孔１１ｄ，１２ｄ，１４ｄの個数は、これに限定するものではない。
【００６３】
（５）  本発明の実施形態は、穴明け器具９のストッパ板９ｄを本体９ａに取り付けているが、本体９ａの外周部にストッパ板９ｄを沿って上下方向に移動自在に取り付けてもよい。この場合には、ストッパ板９ｄの取付位置を可変して、取付穴２ｂを任意の深さに調節することができる。
【００６４】
【発明の効果】
以上詳しく説明したように、本発明によれば、マグネットを固定する固定部材は、せっけんに刺さり込む刺さり込み部と、せっけんから抜け出るのを防止する抜け止め部とを備えるので、簡単な構造で確実にせっけんを保持することができる。
【図面の簡単な説明】
【図１】本発明の第１実施形態に係るせっけん保持具を示す斜視図である。
【図２】本発明の第１実施形態に係るせっけん保持具をせっけんに取り付けた状態を示す斜視図である。
【図３】本発明の第１実施形態に係るせっけん保持具をせっけんに取り付けた状態を示す断面図である。
【図４】穴明け器具を示す平面図である。
【図５】図４のＶ−Ｖ線で切断した状態を示す断面図である。
【図６】穴明け器具を示す斜視図である。
【図７】本発明の第１実施形態に係るせっけん保持具をせっけん取付穴に取り付けた状態を示す斜視図である。
【図８】本発明の第１実施形態に係るせっけん保持具をせっけん取付穴に取り付けた状態を示す断面図である。
【図９】本発明の第２実施形態に係るせっけん保持具を示す斜視図である。
【図１０】本発明の第２実施形態に係るせっけん保持具をせっけんに取り付けた状態を示す斜視図である。
【図１１】本発明の第２実施形態に係るせっけん保持具をせっけんに取り付けた状態を示す断面図である。
【図１２】本発明の第２実施形態に係るせっけん保持具をせっけん取付穴に取り付けた状態を示す断面図である。
【図１３】本発明の第３実施形態に係るせっけん保持具を示す斜視図である。
【図１４】本発明の第３実施形態に係るせっけん保持具をせっけんに取り付けた状態を示す断面図である。
【図１５】本発明の第３実施形態に係るせっけん保持具をせっけん取付穴に取り付けた状態を示す断面図である。
【図１６】本発明の第４実施形態に係るせっけん保持具を示す斜視図である。
【図１７】本発明の第４実施形態に係るせっけん保持具をせっけんに取り付けた状態を示す斜視図である。
【図１８】本発明の第４実施形態に係るせっけん保持具をせっけんに取り付けた状態を示す断面図である。
【図１９】本発明の第４実施形態に係るせっけん保持具をせっけん取付穴に取り付けた状態を示す斜視図である。
【図２０】本発明の第４実施形態に係るせっけん保持具をせっけん取付穴に取り付けた状態を示す断面図である。
【図２１】本発明の第５実施形態に係るせっけん保持具を示す斜視図である。
【図２２】本発明の第５実施形態に係るせっけん保持具をせっけんに取り付けた状態を示す斜視図である。
【図２３】本発明の第５実施形態に係るせっけん保持具をせっけんに取り付けた状態を示す断面図である。
【図２４】本発明の第５実施形態に係るせっけん保持具をせっけん取付穴に取り付けた状態を示す断面図である。
【図２５】本発明の第５実施形態に係るせっけん保持具の組立前の状態を示す平面図である。
【図２６】本発明の第５実施形態に係るせっけん保持具の組立後の状態を示す側面図である。
【符号の説明】
１，３，４，５，６  せっけん保持具
２  せっけん
２ａ  表面
２ｂ  取付孔
９  穴明け器具
１０  マグネット
１０ａ  表面
１１，１２，１４，１６  固定部材
１１ｂ，１２ｂ，１４ｂ，１５ｂ，１６ｂ  壁部
１１ｃ，１２ｃ，１４ｃ  凹凸部
１１ｄ，１２ｄ，１４ｄ  空気抜き孔
１２ｅ，１４ｅ，１６ｅ  開口部
１３  押さえ部材
１４ｆ  フック部
１５  収納部材
１５ｂ  壁部
１６ｃ  突起部
１６ｄ  切欠部
【図１】
0004167752.tif 000002
【図２】
0004167752.tif 000003
【図３】
0004167752.tif 000004
【図４】
0004167752.tif 000005
【図５】
0004167752.tif 000006
【図６】
0004167752.tif 000007
【図７】
0004167752.tif 000008
【図８】
0004167752.tif 000009
【図９】
0004167752.tif 000010
【図１０】
0004167752.tif 000011
【図１１】
0004167752.tif 000012
【図１２】
0004167752.tif 000013
【図１３】
0004167752.tif 000014
【図１４】
0004167752.tif 000015
【図１５】
0004167752.tif 000016
【図１６】
0004167752.tif 000017
【図１７】
0004167752.tif 000018
【図１８】
0004167752.tif 000019
【図１９】
0004167752.tif 000020
【図２０】
0004167752.tif 000021
【図２１】
0004167752.tif 000022
【図２２】
0004167752.tif 000023
【図２３】
0004167752.tif 000024
【図２４】
0004167752.tif 000025
【図２５】
0004167752.tif 000026
【図２６】
0004167752.tif 000027